(57)【要約】【課題】固定枠体に設けられた電源ユニットから始動スイッチへ電気配線にて電力供給したとしても使い勝手の良い開放補助手段付きキャビネットを提供すること。【解決手段】キャビネットは、固定枠体と、固定枠体に可動可能に設けられた引出しと、固定枠体に設けられ、引出しの開放を補助する開放補助手段と、固定枠体に設けられた始動スイッチであって、キャビネット外部に露出する部分が操作されることで開放補助手段を起動させる始動スイッチと、固定枠体における引出しの後方の位置に設けられ、開放補助手段および始動スイッチへ電力を供給する電源ユニットと、開放補助手段と始動スイッチとを電気的に接続する電気配線と、を備えている。【選択図】図３
2020032040.tif 000002
【特許請求の範囲】
【請求項１】
固定枠体と、
前記固定枠体に可動可能に設けられた引出しと、
前記固定枠体に設けられ、前記引出しの開放を補助する開放補助手段と、
前記固定枠体に設けられた始動スイッチであって、キャビネット外部に露出する部分が操作されることで前記開放補助手段を起動させる始動スイッチと、
前記固定枠体における前記引出しの後方の位置に設けられ、前記開放補助手段および前記始動スイッチへ電力を供給する電源ユニットと、
前記開放補助手段と前記始動スイッチとを電気的に接続する電気配線と、
を備えたキャビネット。
【請求項２】
前記始動スイッチは、前記固定枠体の天板の下面と、前記引出しの扉の上面との間に設けられている請求項１記載のキャビネット。
【請求項３】
前記始動スイッチの前端は、前記天板の前端に対し略面一または前記天板の前端より後方に位置する請求項２記載のキャビネット。
【請求項４】
前記始動スイッチは、前記固定枠体の間口方向に渡って設けられた部品に間口の幅と略同一幅で設けられている請求項３記載のキャビネット。
【請求項５】
前記始動スイッチは、間口補強部材を兼ねている請求項４記載のキャビネット。
【請求項６】
前記始動スイッチは、触れることにより電気信号が発生するセンサを有する請求項４または５に記載のキャビネット。
【請求項７】
前記引出しは、第１の引出しと、前記第１の引出しの下方に位置する第２の引出しとを有し、
前記始動スイッチは、前記第１の引出しの第１の扉の下面と、前記第２の引出しの第２の扉の上面との間に設けられている請求項１〜６のいずれか１つに記載のキャビネット。
【発明の詳細な説明】
【技術分野】
【０００１】
本発明は、キャビネットに関する。
【背景技術】
【０００２】
従来、ユーザのスイッチ操作に応じて引出しの開放を補助する開放補助手段を備えたキャビネットが知られている。例えば、特許文献１のような、引出しの扉に引出しの開放を補助する開放補助手段を起動するスイッチを設けた構成が知られている。
【先行技術文献】
【特許文献】
【０００３】
【特許文献１】特許第５２０２３２２号公報
【発明の概要】
【発明が解決しようとする課題】
【０００４】
しかしながら、特許文献１のような構成では、始動スイッチから開放補助手段への信号の伝達は無線で行っているため、始動スイッチへの電力供給は電池などの手段を採用することが考えられる。電池を採用した場合は、電池の消耗に伴い電池交換の手間を要し、使い勝手に優れない。
【０００５】
また、収納スペース確保のため引出しの後方に位置する固定枠体に設けられた電源ユニットから電気配線にて始動スイッチへ電力を供給しようとすると、引出しの開閉に連動して電気配線が伸縮または屈曲することとなり、配線の取り回しが困難となり使い勝手に優れない。
【０００６】
そこで、本発明は、固定枠体に設けられた電源ユニットから始動スイッチへ電気配線にて電力供給したとしても使い勝手の良い開放補助手段付きキャビネットを提供することを目的とする。
【課題を解決するための手段】
【０００７】
第１の発明のキャビネットは、固定枠体と、前記固定枠体に可動可能に設けられた引出しと、前記固定枠体に設けられ、前記引出しの開放を補助する開放補助手段と、前記固定枠体に設けられた始動スイッチであって、キャビネット外部に露出する部分が操作されることで前記開放補助手段を起動させる始動スイッチと、前記固定枠体における前記引出しの後方の位置に設けられ、前記開放補助手段および前記始動スイッチへ電力を供給する電源ユニットと、前記開放補助手段と前記始動スイッチとを電気的に接続する電気配線と、を備えている。  
第１の発明によれば、引出しの開閉動作に影響されずに配線の取り回しが容易となる。配線が固定側にあり、引出しを開けても目立たないので、美観を損ねない。配線を見えないように、また、他の部位に接触しないように埋め込む等の細工が不要となる。始動スイッチと開放補助手段との無線接続に付随する電池は不要であり、電池交換の手間も不要となる。可動部に始動スイッチを設けない構成することが可能となり、電気配線の伸縮または屈曲や、引出し閉止時のみ電気的に接続する接点が不要になるため、低コストで信頼性に優れる。また、始動スイッチを固定枠体に設けつつも外部に露出させる部分を設けているため、利用者の操作が容易となる。  
第２の発明は、第１の発明において、前記始動スイッチは、前記固定枠体の天板の下面と、前記引出しの扉の上面との間に設けられている。  
第２の発明によれば、始動スイッチを天板の下面と引出しの扉の上面との間に設けることにより、上方からの視認を抑制することとなり始動スイッチの存在が際立たず、デザイン性に優れる。  
第３の発明は、第２の発明において、前記始動スイッチの前端は、前記天板の前端に対し略面一または前記天板の前端より後方に位置する。  
第３の発明によれば、上方から見た際に始動スイッチの前端が、天板の前端よりも前方へ突出しておらず、より上方からの視認を抑制することにより始動スイッチを隠蔽でき、デザイン性をさらに高めることができる。  
第４の発明は、第３の発明において、前記始動スイッチは、前記固定枠体の間口方向に渡って設けられた部品に間口の幅と略同一幅で設けられている。  
第４の発明によれば、利用者は始動スイッチの左右方向におけるどの位置からも操作可能であり、例えば、引出しの横幅を大きく設けたとしても、引出しの開放操作を行うために利用者自身が左右に移動する必要がない。すなわち、短い動線で操作可能であり、使い勝手が良い。  
第５の発明は、第４の発明において、前記始動スイッチは、間口補強部材を兼ねている。  
第５の発明によれば、キャビネットの強度を高めるために横桟のような間口補強部材を別部材として設けることが不要となり部材点数削減によるコスト低減が可能となる。  
第６の発明は、第４または第５の発明において、前記始動スイッチは、触れることにより電気信号が発生するセンサを有する。  
第６の発明によれば、始動スイッチを間口方向に渡り設けたとしても、始動スイッチの操作が重くなることがなく負担のない操作が可能になる。  
第７の発明は、第１〜第６の発明のいずれか１つにおいて、前記引出しは、第１の引出しと、前記第１の引出しの下方に位置する第２の引出しとを有し、前記始動スイッチは、前記第１の引出しの第１の扉の下面と、前記第２の引出しの第２の扉の上面との間に設けられている。  
第７の発明によれば、第２の引出しの始動スイッチを直感的に把握可能な位置に設けたとしても、第２の引出しを開放するための始動スイッチの存在が際立たず、デザイン性に優れる。
【発明の効果】
【０００８】
本発明の開放補助手段付きキャビネットによれば、固定枠体に設けられた電源ユニットから始動スイッチへ電気配線にて電力供給したとしても使い勝手を良くできる。
【図面の簡単な説明】
【０００９】
【図１】実施形態に係るキャビネットの斜視図である。
【図２】実施形態に係る固定枠体の斜視図である。
【図３】実施形態に係るキャビネットにおける引出し閉止状態の模式断面図である。
【図４】実施形態に係るキャビネットにおける引出し開放状態の模式断面図である。
【発明を実施するための形態】
【００１０】
以下、添付図面を参照しながら本発明の実施の形態について説明する。説明の理解を容易にするため、各図面において同一の構成要素に対しては可能な限り同一の符号を付して、重複する説明は省略する。
【００１１】
図１は、実施形態に係るキャビネット１の斜視図である。
【００１２】
キャビネット１は、固定枠体１０と、固定枠体１０に可動可能に設けられた引出し４０、５０とを有する。図１に示す例では、第１の引出し４０と、第１の引出し４０の下方に位置する第２の引出し５０の２つの引出しを示すが、引出しの数は、１つまたは３つ以上であってもよい。
【００１３】
図２は、図１に示す天板１１を取り外した状態の固定枠体１０の斜視図である。
【００１４】
固定枠体１０は、天板１１（図１に示す）と、底板１２と、裏板１３と、２つの側板１４とを有する。固定枠体１０は、それら天板１１、底板１２、裏板１３、および２つの側板１４で囲まれた空間を有し、引出し４０、５０はその空間内に収納可能となっている。
【００１５】
固定枠体１０の前面は開放され開口１６が形成されている。その開口１６を通じて、引出し４０、５０がスライド自在に固定枠体１０に取り付けられる。引出し４０、５０のスライドは、側板１４の内面に設けられたスライドレール１７によってガイドされる。
なお、本願明細書において、「前方」とは、引出し４０、５０が固定枠体１０から引き出される方向を指しており、「後方」とは、引出し４０、５０が固定枠体１０へ収納される方向を指している。
【００１６】
裏板１３の前面には、開放補助手段３０が設けられている。引出し４０、５０の数に対応して、２つの開放補助手段３０が設けられている。開放補助手段３０は、引出し４０、５０を固定枠体１０から押し出す押出し部３１（図３に示す）を有し、引出し４０、５０の開放を補助する。
開放補助手段３０は、引出し４０、５０の閉止位置近傍において、引出し４０、５０を後方へ引き込もうとする閉止アシスト手段に対し、閉止アシスト手段の付勢力に対して、引出し４０、５０を前方へ押し出す手段のことを指す。
【００１７】
図３は、キャビネット１の模式断面図である。図３は、固定枠体１０の内部に引出し４０、５０が収納された引出し閉止状態を表す。  
図４は、固定枠体１０から引出し４０、５０が引き出された引出し開放状態の模式断面図である。
【００１８】
それぞれの引出し４０、５０は、扉２１と、背板２２と、底板２３と、２つの側板２４とを有し、上面は開放されている。
【００１９】
引出し４０、５０の閉止状態において、開放補助手段３０は、固定枠体１０の裏板１３と引出し４０、５０の背板２２との間に位置する。
【００２０】
固定枠体１０の裏板１３の前面に電源ユニット８０が設けられている。電源ユニット８０は、商用電源と接続可能であり、商用電源の交流電力を直流電力に変換する。
【００２１】
開放補助手段３０は、電源ユニット８０と電源線８１で接続され、その電源線８１を通じて電源ユニット８０から電力供給を受ける。
【００２２】
開放補助手段３０は、始動スイッチ６０の操作によって起動する。例えば、２つの開放補助手段３０に対応して、２つの始動スイッチ６０が設けられている。それぞれの始動スイッチ６０は、利用者の操作を検知する検知部６１を有する。また、始動スイッチ６０は、検知部６１の操作信号の入力を受け、開放補助手段３０に制御信号を出力する制御部７４を有する。
【００２３】
検知部６１は、利用者が操作しやすいように、キャビネット１の外部に露出して設けられている。第１の引出し４０の開放を補助するための始動スイッチ６０の検知部６１は、固定枠体１０の天板１１の下面と、第１の引出し４０の扉２１の上面との間に設けられている。このように、第１の引出し４０の開放を補助するための検知部６１は、逆Ｌ字形状であり、天板１１の下面と接する面と、信号線７３（詳細は後述）と接する面と、を有している。
そのため、天板１１の下面と引出し４０との間に位置する検知部６１を、デザイン性を考慮し薄く設けたとしても、信号線７３との接続が容易となる。
また、第２の引出し５０の開放を補助するための始動スイッチ６０の検知部６１は、第１の引出し４０の扉２１の下面と、第２の引出し５０の扉２１の上面との間に設けられている。
【００２４】
検知部６１は、間口方向（固定枠体１０の一対の側板１４の間を結ぶ方向）に渡って設けられ、横桟（間口補強部材）の機能を兼ねており、検知部６１の両端部は側板１４に固定されている。
検知部６１は、横桟の機能を兼ねていることが好ましいが、横桟の前面に取付けられ間口方向における開口１６の幅と略同一幅で設けられていてもよい。
略同一幅とは、左右方向における固定枠体１０の一対の側板１４の外寸または固定枠体１０の一対の側板１４の内寸に対して±５ｍｍ以内を指す。
【００２５】
検知部６１の前端６１ａは、固定枠体１０の天板１１の前端１１ａより後方に位置する。または、検知部６１の前端６１ａと、固定枠体１０の天板１１の前端１１ａとは、略面一に揃っている。すなわち、検知部６１の前端６１ａは、天板１１の前端１１ａよりも前方に突出していない。また、検知部６１は、開口１６の後方の空間に露出する部分も有する。
略面一とは、検知部６１の上面が外部に露出したことが利用者に認識されないことが好ましく、固定枠体１０の天板１１の前端１１ａに対し±３ｍｍ以内の寸法のことを指す。
【００２６】
検知部６１は、例えば、利用者が触れることで電気信号が発生するタッチセンサを有する。このタッチセンサは、例えば、指先を検知部６１に近づける、または触れると、指先を通じて静電容量が変化する静電式センサである。または、タッチセンサは、加えられた力を電圧に変換する圧電素子を有する圧電式センサであってもよい。
【００２７】
始動スイッチ６０の検知部６１は、信号線７３、制御部７４、および電気配線７５を通じて、開放補助手段３０と電気的に接続されている。これら信号線７３、制御部７４、および電気配線７５は、例えば固定枠体１０の側板１４に設けられている。
【００２８】
検知部６１は、信号線７３によって、制御部７４と電気的に接続されている。制御部７４は、電気配線７５によって、開放補助手段３０と電気的に接続されている。電気配線７５は、電源線と信号線を兼ねる。制御部７４は、電源線８１および電気配線７５を通じて、電源ユニット８０から電力の供給を受ける。
【００２９】
検知部６１の操作信号は、信号線７３、制御部７４、および電気配線７５を通じて、開放補助手段３０に伝達する。制御部７４は、検知部６１の操作信号を受けて、開放補助手段３０を起動させる制御信号を開放補助手段３０に送る。
【００３０】
利用者が検知部６１を操作すると（例えばタッチセンサである検知部６１に触れると）、操作信号が開放補助手段３０に伝達する。この操作信号を受けて、開放補助手段３０は起動する。すなわち、押出し部３１が作動して、図４に示すように、引出し４０、５０を固定枠体１０から引き出す方向に背板２２を押す。
【００３１】
開放補助手段３０が起動した後、例えば所定時間が経過すると自動的に押出し部３１は元の位置に戻り、開放補助手段３０は作動待機状態になる。
【００３２】
実施形態によれば、始動スイッチ６０および配線（信号線７３、電気配線７５）を、固定側の要素である固定枠体１０に設けたため、引出し４０、５０の開閉動作に影響されずに配線の取り回しが容易となる。配線が固定側にあり、引出し４０、５０を開けても目立たないので、美観を損ねない。配線を見えないように、また、他の部位に接触しないように埋め込む等の細工が不要となる。始動スイッチ６０と開放補助手段３０との無線接続に付随する電池は不要であり、電池交換の手間も不要となる。検知部６１、開放補助手段３０は固定部に設けており、電気配線の伸縮または屈曲や、引出し閉止時のみ電気的に接続する接点が不要になるため、低コストで信頼性に優れる。また、検知部６１を固定枠体１０に設けつつも外部に露出させているため、利用者の検知部６１の操作が容易となる。このような実施形態によれば、使い勝手の良い開放補助手段付きキャビネットを提供することができる。
【００３３】
第１の引出し４０の開放を補助する開放補助手段３０を起動させる検知部６１は、天板１１の下面と第１の引出し４０の扉２１の上面との間のスペースに配置され、天板１１によって検知部６１の上面側が覆い隠される。第２の引出し５０の開放を補助する開放補助手段３０を起動させる検知部６１は、第１の引出し４０の扉２１の下面と第２の引出し５０の扉２１の上面との間のスペースに配置され、第１の引出し４０の扉２１によって検知部６１の上面側が覆い隠される。このような構成は、検知部６１の存在が際立たず、デザイン性に優れる。
さらに、検知部６１の前端６１ａを、天板１１の下面と第１の引出し４０の扉２１の上面との間のスペースに配置することにより、利用者が操作しやすい高さに始動スイッチ６０を設けることができ、操作性に優れる。
加えて、検知部６１の前端６１ａを、天板１１の前面と引出し４０の扉２１の前面との間に設けることにより、デザイン性を維持しつつ操作性に優れる。
【００３４】
また、上方から見た際に検知部６１の前端６１ａが、天板１１の前端１１ａよりも前方へ突出しておらず、検知部６１を天板１１により隠蔽することとなり、デザイン性をさらに高めることができる。
【００３５】
このように検知部６１の存在を際立たないようにしても、検知部６１は間口方向に渡って設けられているため、利用者は検知部６１の左右方向におけるどの位置からも操作可能であり、利用者自身が左右に移動する必要がない。すなわち、短い動線で操作可能であり、使い勝手が良い。
【００３６】
検知部６１は間口補強部材を兼ねており、部材点数削減によるコスト低減が可能となる。
【００３７】
検知部６１は押込式のスイッチであってもよい。その場合に、押込式のスイッチを間口方向に渡り設けると、長いスイッチを押し込む操作が重くなりやすい。しかしながら、実施形態のようにタッチセンサ式の検知部６１とすることで、間口方向に渡り設けたとしても、負担のない操作が可能になる。
【００３８】
以上、具体例を参照しつつ本発明の実施形態について説明した。しかし、本発明は、それらに限定されるものではなく、本発明の技術的思想に基づいて種々の変形が可能である。
【符号の説明】
【００３９】
１…キャビネット、１０…固定枠体、２１…扉、３０…開放補助手段、３１…押出し部、４０,５０…引出し、６０…始動スイッチ、６１…検知部、７４…制御部、８０…電源ユニット
【図１】
2020032040.tif 000003
【図２】
2020032040.tif 000004
【図３】
2020032040.tif 000005
【図４】
2020032040.tif 000006